(57)【要約】  EV→HEVモード切り替え要求（t2）に呼応してエンジン始動およびクラッチCLの締結が行われる。エンジンが始動を完了した時（t3）より変速機にエンジン回転が入力されることから実変速比Ipを演算可能になる。この実変速比Ipが目標変速比tIpと異なる場合、両者間の変速比偏差ΔIp分だけ駆動力が要求に対し不足を生じ、運転者に違和感を与える。かかる駆動力の不足を解消するのに必要なモータトルク補正量ΔTmだけモータトルクTmを増大補正するか、若しくは上記駆動力の不足を解消するのに必要なエンジントルク補正量ΔTeだけエンジントルクTeを増大補正することにより、変速比偏差ΔIpに起因した駆動力不足を解消し、運転者の違和感をなくすことができる。
2014069528.tif 000002
【特許請求の範囲】
【請求項１】
動力源としてエンジンのほかに電動モータを具え、前記エンジンが変速機を介して車輪に駆動結合され、これら変速機および車輪間がクラッチにより切り離し可能であって、該クラッチを解放すると共に前記エンジンを停止させることにより前記電動モータのみにより走行される電気走行モードを選択可能であるほか、前記エンジンを始動させると共に前記クラッチを締結することにより前記電動モータおよびエンジンにより走行されるハイブリッド走行モードを選択可能なハイブリッド車両のモード切り替え制御装置において、
前記電気走行モードからハイブリッド走行モードへのモード切り替え時に、前記電動モータおよび／またはエンジンの出力を車両運転状態に応じた値に制御するが、前記変速機の実変速比が車両運転状態に応じた目標変速比と異なる場合、これら実変速比および目標変速比間の変速比偏差による駆動力の過不足を減ずるべく前記電動モータおよび／またはエンジンの出力を補正するよう構成したことを特徴とするハイブリッド車両のモード切り替え制御装置。
【請求項２】
請求項1に記載された、ハイブリッド車両のモード切り替え制御装置において、
前記モード切り替え時に、前記エンジンの始動が完了するまで間は前記電動モータの出力を車両運転状態に応じた要求駆動力が得られるよう制御し、前記エンジンの始動が完了した後に前記変速比偏差による駆動力の過不足を減ずるべく前記電動モータおよび／またはエンジンの出力を補正するよう構成したことを特徴とするハイブリッド車両のモード切り替え制御装置。
【請求項３】
請求項1または2に記載された、ハイブリッド車両のモード切り替え制御装置において、
前記電動モータの出力補正のみにより前記変速比偏差による駆動力の過不足を狙い通りに減ずることができる場合、該電動モータに対してのみ前記出力補正を行うよう構成したことを特徴とするハイブリッド車両のモード切り替え制御装置。
【請求項４】
請求項1〜3のいずれか1項に記載された、ハイブリッド車両のモード切り替え制御装置において、
前記電動モータの出力補正のみによっては前記変速比偏差による駆動力の過不足を狙い通りに減ずることができない場合、前記エンジンに対する前記出力補正によって前記変速比偏差による駆動力の過不足を狙い通りに減ずるよう構成したことを特徴とするハイブリッド車両のモード切り替え制御装置。
【請求項５】
請求項4に記載された、ハイブリッド車両のモード切り替え制御装置において、
前記エンジンの出力補正によって前記変速比偏差による駆動力の過不足を狙い通りに減ずることができない場合、前記電動モータの出力補正とエンジンの出力補正との共働によって、前記変速比偏差による駆動力の過不足を狙い通りに減ずるよう構成したことを特徴とするハイブリッド車両のモード切り替え制御装置。
【発明の詳細な説明】
【技術分野】
【０００１】
本発明は、エンジンおよび電動モータを動力源として搭載され、電動モータのみにより走行する電気走行モード（EVモード）と、電動モータおよびエンジンにより走行するハイブリッド走行モード（HEVモード）とを選択可能なハイブリッド車両のモード切り替え制御装置に関するものである。
【背景技術】
【０００２】
このようなハイブリッド車両としては従来、例えば特許文献1に記載のようなものが知られている。
このハイブリッド車両は、一方の動力源であるエンジンが無段変速機およびクラッチを順次介して車輪に切り離し可能に駆動結合され、他方の動力源である電動モータが当該車輪に常時結合された型式のものである。【０００３】
かかるハイブリッド車両は、エンジンを停止すると共に上記のクラッチを解放することで電動モータのみによるEVモードでの電気走行（EV走行）が可能であり、エンジンを始動させると共に当該クラッチを締結することにより電動モータおよびエンジンによるHEVモードでのハイブリッド走行（HEV走行）が可能である。【０００４】
なお、EV走行中にクラッチを上記のごとく解放することで、停止状態のエンジンが（変速機が存在している場合は変速機も）車輪から切り離されていることとなり、当該エンジン（変速機）をEV走行中に連れ回す（引き摺る）ことがなく、その分のエネルギー損失を回避し得てエネルギー効率を高めることができる。
【先行技術文献】
【特許文献】
【０００５】
【特許文献１】特開２０００−１９９４４２号公報
【発明の開示】
【発明が解決しようとする課題】
【０００６】
上記ハイブリッド車両にあっては、エンジンを停止すると共にクラッチを解放したEV走行中にアクセルペダルを踏み込むなど運転状態が変化した場合、エンジンを再始動すると共にクラッチを締結してEV走行モードからHEV走行モードに切り替わる。【０００７】
ところで特許文献1では、当該EV→HEVモード切り替え時の駆動力制御や、変速機の変速制御について言及しておらず、以下の問題を生ずる。
つまり、変速機はエンジン駆動されるオイルポンプからの作動油を媒体として変速制御するのが普通であり、エンジンを停止させるEV走行モードへの移行後は、オイルポンプから作動油が吐出されず、変速機がそれ自身回転していないこととも相俟って変速制御不能状態である。【０００８】
かといってEV走行中に変速機は、EV走行モードへの移行時（エンジン停止時）における変速比に保たれるという訳ではなく、変速制御システム内の作動油が漏れたり、変速制御機構内におけるバネなどによるプリロードで変速制御機構が若干ながら動作するため、EV走行中に変速比がEV走行モードへの移行時（エンジン停止時）における変速比から徐々にずれてしまい、何れにしてもEV走行中は実変速比を把握し得ない。【０００９】
なおEV→HEVモード切り替え時にエンジンが始動されるが、エンジン回転が完爆により始動完了時の値となって、オイルポンプの吐出油量を変速制御可能な量となすまでには、EV→HEVモード切り替えの開始から相当な応答遅れ後であり、この間も変速機は変速制御不能状態のままである。【００１０】
これらの理由から、エンジンの完爆による始動完了でオイルポンプから十分な量の作動油が吐出されるようになって変速機が変速制御可能となった時における実変速比と、運転状態に応じた目標変速比との間には大きな乖離があり、これら実変速比および目標変速比間の変速比偏差分だけ車輪駆動力が、運転状態に応じた目標駆動力に対して過不足を生ずる。【００１１】
しかるに特許文献1に記載のものに代表される従来のハイブリッド車両にあっては、EV→HEVモード切り替え時の上記変速比偏差に起因した駆動力の過不足を解消しようとする試みがなされておらず、運転操作通りの駆動力が得られないという違和感を運転者に与えるという問題があった。【００１２】
本発明は、EV→HEVモード切り替えに際し、上記変速比偏差に起因した駆動力の過不足を減じて、上記の問題を回避し得るよう改良したハイブリッド車両のモード切り替え制御装置を提案することを目的とする。
【課題を解決するための手段】
【００１３】
この目的のため、本発明によるハイブリッド車両のモード切り替え制御装置は、これを以下のごとくに構成する。【００１４】
先ず本発明の前提となるハイブリッド車両を説明するに、これは、
動力源としてエンジンのほかに電動モータを具え、前記エンジンが変速機を介して車輪に駆動結合され、これら変速機および車輪間がクラッチにより切り離し可能であって、該クラッチを解放すると共に前記エンジンを停止させることにより前記電動モータのみにより走行される電気走行モードを選択可能であるほか、前記エンジンを始動させると共に前記クラッチを締結することにより前記電動モータおよびエンジンにより走行されるハイブリッド走行モードを選択可能な車両である。【００１５】
本発明のモード切り替え制御装置は、かかるハイブリッド車両の前記電気走行モードからハイブリッド走行モードへのモード切り替え時に、前記電動モータおよび／またはエンジンの出力を車両運転状態に応じた値に制御するが、前記変速機の実変速比が車両運転状態に応じた目標変速比と異なる場合、これら実変速比および目標変速比間の変速比偏差による駆動力の過不足を減ずるべく前記電動モータおよび／またはエンジンの出力を補正するよう構成した点に特徴づけられる。
【発明の効果】
【００１６】
本発明によるハイブリッド車両のモード切り替え制御装置にあっては、
電気走行モードからハイブリッド走行モードへのモード切り替え時に電動モータおよび／またはエンジンの出力を車両運転状態に応じた値に制御するも、変速機の実変速比が車両運転状態に応じた目標変速比と異なる場合は、これら両者間の変速比偏差による駆動力の過不足を減ずるよう電動モータおよび／またはエンジンの出力を補正するため、
上記モード切り替え時の変速比偏差に起因した駆動力の過不足が解消されて、運転操作通りの駆動力変化を生起させることができ、運転操作と異なる駆動力が発生する違和感をなくすことができる。
【図面の簡単な説明】
【００１７】
【図１】本発明の一実施例になるモード切り替え制御装置を具えたハイブリッド車両の駆動系およびその全体制御システムを示す概略系統図である。
【図２】本発明のモード切り替え制御装置を適用可能な他の型式のハイブリッド車両を示し、  (a)は、当該ハイブリッド車両の駆動系およびその全体制御システムを示す概略系統図であり、  (b)は、当該ハイブリッド車両の駆動系におけるＶベルト式無段変速機に内蔵された副変速機内における変速摩擦要素の締結論理図である。
【図３】図1におけるハイブリッドコントローラが実行するEV→HEVモード切り替え制御プログラムを示すフローチャートである。
【図４】図3のモード切り替え制御によるEV→HEVモード切り替えの動作タイムチャートである。
【符号の説明】
【００１８】
1  エンジン（動力源）
2  電動モータ（動力源）
3  スタータモータ
4  Ｖベルト式無段変速機
5  駆動車輪
6  プライマリプーリ
7  セカンダリプーリ
8  Ｖベルト
CVT  無段変速機構
T/C  トルクコンバータ
CL  変速機クラッチ（クラッチ）
9,11  ファイナルギヤ組
12  バッテリ
13  インバータ
14  ブレーキディスク
15  キャリパ
16  ブレーキペダル
17  負圧式ブレーキブースタ
18  マスターシリンダ
19  アクセルペダル
21  ハイブリッドコントローラ
22  エンジンコントローラ
23  モータコントローラ
24  変速機コントローラ
25  バッテリコントローラ
26  ブレーキスイッチ
27  アクセル開度センサ
28  プライマリプーリ回転センサ
29  セカンダリプーリ回転センサ
O/P  オイルポンプ
E/P  電動ポンプ
31  副変速機
H/C  ハイクラッチ
R/B  リバースブレーキ
L/B  ローブレーキ
32  車速センサ
33  車両加速度センサ
35  ライン圧ソレノイド
36  ロックアップソレノイド
37  プライマリプーリ圧ソレノイド
38  ローブレーキ圧ソレノイド
39  ハイクラッチ圧＆リバースブレーキ圧ソレノイド
41  スイッチバルブ
【発明を実施するための最良の形態】
【００１９】
以下、この発明の実施例を添付の図面に基づいて説明する。
【実施例１】
【００２０】
＜構成＞
図1は、本発明の一実施例になるモード切り替え制御装置を具えたハイブリッド車両の駆動系およびその全体制御システムを示す概略系統図である。【００２１】
図1のハイブリッド車両は、エンジン1および電動モータ2を動力源として搭載され、エンジン1は、スタータモータ3により始動する。
エンジン1は、Ｖベルト式無段変速機4を介して駆動車輪5に適宜切り離し可能に駆動結合し、Ｖベルト式無段変速機4は、概略を以下に説明するようなものとする。【００２２】
Ｖベルト式無段変速機4は、プライマリプーリ6と、セカンダリプーリ7と、これらプーリ6,7間に掛け渡したＶベルト8とからなる無段変速機構CVTを主たる構成要素とする。
プライマリプーリ6はロックアップ式トルクコンバータT/Cを介してエンジン1のクランクシャフトに結合し、セカンダリプーリ7は変速機クラッチCL（本発明におけるクラッチに相当）およびファイナルギヤ組9を順次介して駆動車輪5に結合する。【００２３】
かくして変速機クラッチCLの締結状態で、エンジン1からの動力はトルクコンバータT/Cを経てプライマリプーリ6へ入力され、その後Ｖベルト8、セカンダリプーリ7、変速機クラッチCLおよびファイナルギヤ組9を順次経て駆動車輪5に達し、ハイブリッド車両の走行に供される。【００２４】
かかるエンジン動力伝達中、プライマリプーリ6のプーリＶ溝幅を小さくしつつ、セカンダリプーリ7のプーリＶ溝幅を大きくすることで、Ｖベルト8がプライマリプーリ6との巻き掛け円弧径を大きくされると同時にセカンダリプーリ7との巻き掛け円弧径を小さくされ、Ｖベルト式無段変速機4はハイ側プーリ比（ハイ側変速比）へのアップシフトを行うことができる。
逆にプライマリプーリ6のプーリＶ溝幅を大きくしつつ、セカンダリプーリ7のプーリＶ溝幅を小さくすることで、Ｖベルト8がプライマリプーリ6との巻き掛け円弧径を小さくされると同時にセカンダリプーリ7との巻き掛け円弧径を大きくされ、Ｖベルト式無段変速機4はロー側プーリ比（ロー側変速比）へのダウンシフトを行うことができる。【００２５】
電動モータ2はファイナルギヤ組11を介して駆動車輪5に常時駆動結合し、この電動モータ2は、バッテリ12の電力によりインバータ13を介して駆動する。
インバータ13は、バッテリ12の直流電力を交流電力に変換して電動モータ2へ供給すると共に、電動モータ2への供給電力を加減することにより、電動モータ2を駆動力制御および回転方向制御する。【００２６】
なお電動モータ2は、上記のモータ駆動のほかに発電機としても機能し、後で詳述する回生制動の用にも供する。
この回生制動時はインバータ13が、電動モータ2に回生制動力分の発電負荷をかけることにより、電動モータ2を発電機として作用させ、電動モータ2の発電電力をバッテリ12に蓄電する。【００２７】
図1につき上記した駆動系を具えるハイブリッド車両は、変速機クラッチCLを解放すると共にエンジン1を停止させた状態で、電動モータ2を駆動すると、電動モータ2の動力のみがファイナルギヤ組11を経て駆動車輪5に達し、ハイブリッド車両は電動モータ2のみによる電気走行モード（EVモード）で走行を行うことができる。
この間、変速機クラッチCLを解放していることで、停止状態のエンジン1を連れ回すことがなく、EV走行中の無駄な電力消費を抑制することができる。【００２８】
上記のEV走行状態においてエンジン1をスタータモータ3により始動させると共に変速機クラッチCLを締結させると、エンジン1からの動力がトルクコンバータT/C、プライマリプーリ6、Ｖベルト8、セカンダリプーリ7、変速機クラッチCLおよびファイナルギヤ組9を順次経て駆動車輪5に達するようになり、ハイブリッド車両はエンジン1および電動モータ2によるハイブリッド走行モード（HEVモード）で走行を行うことができる。【００２９】
ハイブリッド車両を上記の走行状態から停車させたり、この停車状態に保つに際しては、駆動車輪5と共に回転するブレーキディスク14をキャリパ15により挟圧して制動することで目的を達する。
キャリパ15は、運転者が踏み込むブレーキペダル16の踏力に応動して負圧式ブレーキブースタ17による倍力下でブレーキペダル踏力対応のブレーキ液圧を出力するマスターシリンダ18に接続し、このブレーキ液圧でキャリパ15を作動させてブレーキディスク14の制動を行う。【００３０】
ハイブリッド車両はEVモードおよびHEVモードのいずれにおいても、運転者がアクセルペダル19を踏み込んで指令する駆動力指令に応じたトルクで車輪5を駆動され、運転者の要求に応じた駆動力をもって走行される。【００３１】
ハイブリッド車両の走行モード選択と、エンジン1の出力制御と、電動モータ2の回転方向制御および出力制御と、無段変速機4の変速制御および変速機クラッチCLの締結、解放制御と、バッテリ12の充放電制御はそれぞれ、ハイブリッドコントローラ21が、対応するエンジンコントローラ22、モータコントローラ23、変速機コントローラ24、およびバッテリコントローラ25を介してこれら制御を行うものとする。【００３２】
そのためハイブリッドコントローラ21には、ブレーキペダル16を踏み込む制動時にOFFからONに切り替わる常開式ブレーキスイッチ26からの信号と、アクセルペダル踏み込み量（アクセル開度）APOを検出するアクセル開度センサ27からの信号と、プライマリプーリ6の回転数Npriを検出するプライマリプーリ回転センサ28からの信号と、セカンダリプーリ7の回転数Nsecを検出するセカンダリプーリ回転センサ29からの信号とを入力する。
ハイブリッドコントローラ21は更に、エンジンコントローラ22、モータコントローラ23、変速機コントローラ24、およびバッテリコントローラ25との間で、内部情報のやり取りを行う。【００３３】
エンジンコントローラ22は、ハイブリッドコントローラ21からの指令に応答して、エンジン1を出力制御し、
モータコントローラ23は、ハイブリッドコントローラ21からの指令に応答してインバータ13を介し電動モータ2の回転方向制御および出力制御を行う。【００３４】
変速機コントローラ24は、ハイブリッドコントローラ21からの指令に応答し、エンジン駆動されるオイルポンプO/Pからのオイルを媒体として、またエンジン1の運転停止中に作動媒体が必要な場合は電動ポンプE/Pからのオイルを作動媒体として無段変速機4（Ｖベルト式無段変速機構CVT）の変速制御、トルクコンバータT/Cのロックアップ制御、および変速機クラッチCLの締結、解放制御を行う。
バッテリコントローラ25は、ハイブリッドコントローラ21からの指令に応答し、バッテリ12の充放電制御を行う。【００３５】
なお図1では、Ｖベルト式無段変速機構CVT（セカンダリプーリ7）と駆動車輪5との間を切り離し可能に結合するため、無段変速機4に専用の変速機クラッチCLを設けたが、
図2(a)に例示するごとく無段変速機4が、Ｖベルト式無段変速機構CVT（セカンダリプーリ7）と駆動車輪5との間に副変速機31を内蔵している場合は、副変速機31の変速を司る摩擦要素（クラッチや、ブレーキなど）を流用して、Ｖベルト式無段変速機構CVT（セカンダリプーリ7）と駆動車輪5との間を切り離し可能に結合することができる。
この場合、Ｖベルト式無段変速機構CVT（セカンダリプーリ7）と駆動車輪5との間を切り離し可能に結合する専用のクラッチCLを追設する必要がなくてコスト上有利である。【００３６】
図2(a)の副変速機31は、複合サンギヤ31s-1および31s-2と、インナピニオン31pinと、アウタピニオン31poutと、リングギヤ31rと、ピニオン31pin, 31poutを回転自在に支持したキャリア31cとからなるラビニョオ型プラネタリギヤセットで構成する。
複合サンギヤ31s-1および31s-2のうち、サンギヤ31s-1は入力回転メンバとして作用するようセカンダリプーリ7に結合し、サンギヤ31s-2はセカンダリプーリ7に対し同軸に配置するが自由に回転し得るようにする。【００３７】
サンギヤ31s-1にインナピニオン31pinを噛合させ、このインナピニオン31pinおよびサンギヤ31s-2をそれぞれアウタピニオン31poutに噛合させる。
アウタピニオン31poutはリングギヤ31rの内周に噛合させ、キャリア31cを出力回転メンバとして作用するようファイナルギヤ組9に結合する。【００３８】
キャリア31cとリングギヤ31rとをハイクラッチH/Cにより適宜結合可能となし、リングギヤ31rをリバースブレーキR/Bにより適宜固定可能となし、サンギヤ31s-2をローブレーキL/Bにより適宜固定可能となす。【００３９】
副変速機31は、変速摩擦要素であるハイクラッチH/C、リバースブレーキR/BおよびローブレーキL/Bを、図2(b)に○印により示す組み合わせで締結させ、それ以外を図2(b)に×印で示すように解放させることにより前進第1速、第2速、後退の変速段を選択することができる。【００４０】
ハイクラッチH/C、リバースブレーキR/BおよびローブレーキL/Bを全て解放すると、副変速機31は動力伝達を行わない中立状態であり、
この状態でローブレーキL/Bを締結すると、副変速機31は前進第1速選択（減速）状態となり、
ハイクラッチH/Cを締結すると、副変速機31は前進第2速選択（直結）状態となり、
リバースブレーキR/Bを締結すると、副変速機31は後退選択（逆転）状態となる。【００４１】
図2(a)の無段変速機4は、全ての変速摩擦要素H/C, R/B, L/Bを解放して副変速機31を中立状態にすることで、Ｖベルト式無段変速機構CVT（セカンダリプーリ7）と駆動車輪5との間を切り離すことができる。
従って図2(a)の無段変速機4は、副変速機31の変速摩擦要素H/C, R/B, L/Bが図1における変速機クラッチCLの用をなし、図1におけるように変速機クラッチCLを追設することなく、Ｖベルト式無段変速機構CVT（セカンダリプーリ7）と駆動車輪5との間を切り離し可能に結合することができる。【００４２】
図2(a)の無段変速機4は、エンジン駆動されるオイルポンプO/Pからのオイルを作動媒体として、またエンジン1の運転停止中に作動媒体が必要な場合は電動ポンプE/Pからのオイルを作動媒体として制御されるもので、
変速機コントローラ24がライン圧ソレノイド35、ロックアップソレノイド36、プライマリプーリ圧ソレノイド37、ローブレーキ圧ソレノイド38、ハイクラッチ圧＆リバースブレーキ圧ソレノイド39およびスイッチバルブ41を介し、無段変速機4の当該制御を以下のように行う。【００４３】
なお変速機コントローラ24には、図1につき前述した信号に加えて、車速VSPを検出する車速センサ32からの信号、および車両加減速度Gを検出する加速度センサ33からの信号を入力する。【００４４】
ライン圧ソレノイド35は、変速機コントローラ24からの指令に応動し、オイルポンプO/P（または電動ポンプE/P）からのオイルを車両要求駆動力対応のライン圧PLに調圧し、このライン圧PLを常時セカンダリプーリ7へセカンダリプーリ圧として供給することにより、セカンダリプーリ7がライン圧PLに応じた推力でＶベルト8をスリップしないよう挟圧する。【００４５】
ロックアップソレノイド36は、変速機コントローラ24からのロックアップ指令に応動し、ライン圧PLを適宜トルクコンバータT/Cに向かわせて図示せざるロックアップクラッチ（ロックアップ機構）を締結またはスリップ結合させることで、トルクコンバータT/Cを必要時に入出力要素間が相対回転（スリップ）することのないよう直結されたロックアップ状態、または入出力要素間が所定回転差で相対回転するようスリップ結合されたスリップロックアップ状態にする。【００４６】
プライマリプーリ圧ソレノイド37は、変速機コントローラ24からのCVT変速比指令に応動してライン圧PLをプライマリプーリ圧に調圧し、これをプライマリプーリ6へ供給することにより、プライマリプーリ6のV溝幅と、ライン圧PLを供給されているセカンダリプーリ7のV溝幅とを、CVT変速比が変速機コントローラ24からの指令に一致するよう制御して変速機コントローラ24からのCVT変速比指令を実現する。【００４７】
ローブレーキ圧ソレノイド38は、変速機コントローラ24が副変速機31の第1速選択指令を発しているとき、ライン圧PLをローブレーキ圧としてローブレーキL/Bに供給することによりこれを締結させ、第1速選択指令を実現する。【００４８】
ハイクラッチ圧＆リバースブレーキ圧ソレノイド39は、変速機コントローラ24が副変速機31の第2速選択指令または後退選択指令を発しているとき、ライン圧PLをハイクラッチ圧＆リバースブレーキ圧としてスイッチバルブ41に供給する。
第2速選択指令時はスイッチバルブ41が、ソレノイド39からのライン圧PLをハイクラッチ圧としてハイクラッチH/Cに向かわせ、これを締結することで副変速機31の第2速選択指令を実現する。
後退選択指令時はスイッチバルブ41が、ソレノイド39からのライン圧PLをリバースブレーキ圧としてリバースブレーキR/Bに向かわせ、これを締結することで副変速機31の後退選択指令を実現する。【００４９】
＜モード切り替え制御＞
上記ハイブリッド車両のモード切り替え動制御を、車両の駆動系が図1に示すようなものである場合につき以下に説明する。
HEV走行中にアクセルペダル19を釈放してコースティング（惰性）走行へ移行した場合や、その後ブレーキペダル16を踏み込んで車両を制動する場合、電動モータ2による回生制動によって車両の運動エネルギーを電力に変換し、これをバッテリ12に蓄電しておくことでエネルギー効率の向上を図る。【００５０】
ところでHEV走行のままの回生制動（HEV回生）は、変速機クラッチCLが締結状態であるため、エンジン1の逆駆動力（エンジンブレーキ）分および無段変速機4のフリクション分だけ回生制動エネルギーの低下を招くこととなり、エネルギー回生効率が悪い。
そのため、HEV走行中に回生制動が開始されたら、変速機クラッチCLの解放によりエンジン1および無段変速機4を駆動車輪5から切り離してEV走行へと移行することでEV回生状態となし、これによりエンジン1および無段変速機4の連れ回しをなくすことで、その分だけエネルギー回生量を稼げるようにする。【００５１】
一方、上記のように変速機クラッチCLを解放している時は燃費の観点からエンジン1を無用な運転が行われないよう停止させておくため、上記のコースティング走行中に実行されていたエンジン1への燃料噴射の中止（フューエルカット）が変速機クラッチCLの上記解放時も継続されるよう、エンジン1への燃料噴射の再開（フューエルリカバー）を禁止することで、変速機クラッチCLの解放時にエンジン1を停止させる。
以上により、HEVモードからEVモードへの切り替えが完了する。【００５２】
EV走行中にアクセルペダル19を踏み込むなど運転状態が変化し、EVモードからHEVモードへのモード切り替え要求が発生した場合、エンジン1を再始動すると共に変速機クラッチCLを締結してEV走行モードからHEV走行モードへの切り替えを行う。【００５３】
ところで当該EV→HEVモード切り替え時の適切な駆動力制御（エンジン1および／または電動モータ2の出力制御）や、無段変速機4（無段変速機構CVT）の適切な変速制御を怠ると、以下の問題を生ずる。
つまり、無段変速機4（無段変速機構CVT）はエンジン1で駆動されるオイルポンプO/Pからの作動油を媒体として変速制御するのが普通であり、エンジン1を停止させるEV走行モードへの移行後は、オイルポンプO/Pから作動油が吐出されず、無段変速機4（無段変速機構CVT）がそれ自身回転していないこととも相俟って、たとえ電動ポンプE/Pを作動させたとしても変速制御不能状態である。【００５４】
かといってEV走行中に無段変速機4（無段変速機構CVT）は、EV走行モードへの移行時（エンジン停止時）における変速比に保たれるという訳ではなく、変速制御システム内の作動油が漏れたり、変速制御機構内におけるバネ（例えばプライマリプーリ6およびセカンダリプーリ7の可動シーブを固定シーブに附勢する皿バネ）などによるプリロードで変速制御機構が若干ながら動作するため、EV走行中に変速比がEV走行モードへの移行時（エンジン停止時）における変速比から徐々にずれてしまい、何れにしてもEV走行中は実変速比を把握し得ない。【００５５】
なおEV→HEVモード切り替え時にエンジン1が始動されるが、エンジン回転が完爆により始動完了値になって、オイルポンプO/Pの吐出油量を変速制御可能な量となすまでには、EV→HEVモード切り替えの開始から相当な応答遅れ後であり、この間も変速機は変速制御不能状態のままである。
このとき電動ポンプE/Pを作動させたとしても、エンジン1が始動を完了するまでの間はエンジン回転数が変速制御に用い得る程度に安定しておらず、無段変速機4（無段変速機構CVT）は依然として変速制御不能状態のままである。【００５６】
これらの理由から、エンジン1が完爆により始動を完了してオイルポンプO/Pから十分な量の作動油が吐出されるようになり、無段変速機4（無段変速機構CVT）が変速制御可能となった時における実変速比と、運転状態に応じた目標変速比との間には大きな乖離があり、これら実変速比および目標変速比間の変速比偏差分だけ車輪駆動力が運転状態に応じた目標駆動力に対し過不足を生ずる。【００５７】
しかるに従来のハイブリッド車両では、EV→HEVモード切り替え時における上記変速比偏差に起因した駆動力の過不足を解消しようとする試みがなされておらず、運転操作通りの駆動力が得られないという違和感を運転者に与えるという問題があった。【００５８】
本実施例は、この問題を解消、若しくは少なくとも緩和し得るよう改良したEV→HEVモード切り替え制御を提案するもので、図1のハイブリッドコントローラ21が図3の制御プログラムを実行して、エンジンコントローラ22および変速機コントローラ24を介し、図4のタイムチャートに示すごとくに当該EV→HEVモード切り替え制御を遂行するものとする。【００５９】
なお図4は、アクセル開度APO＝0と、制動操作（ブレーキスイッチON）とによるコースティング走行中の瞬時t1にHEV→EVモード切り替え要求が発生し、これに呼応して変速機クラッチCLが解放され（クラッチ圧Pc＝0）、コースティング走行中に実行されるフューエルカットがフューエルリカバーを禁止されていることで瞬時t1における変速機クラッチCLの解放に伴ってエンジン1が停止され（エンジン回転数Ne＝0）、
その後の瞬時t2に、制動操作解除（ブレーキスイッチOFF）およびアクセルペダルの踏み込み（アクセル開度APO>0）に呼応して、EV→HEVモード切り替え要求が発生した場合の動作タイムチャートである。【００６０】
図3のステップＳ11においては、図4の瞬時t2におけるようなエンジン再始動要求（EV→HEVモード切り替え要求）が発生したか否かをチェックし、発生していなければ、現在のHEV走行を継続させるべきで、図3のEV→HEVモード切り替え制御が不要であるから、制御をそのまま終了する。
ステップＳ11でエンジン再始動要求（EV→HEVモード切り替え要求）が発生した（図4の瞬時t2に至った）と判定する場合、現在のHEV走行からEV走行にモード切り替えする必要があることから、制御をステップＳ12に進める。【００６１】
ステップＳ12においては、EV→HEVモード切り替えに際して必要なエンジン1の始動および変速機クラッチCLの締結のうち、前者のエンジン始動をスタータ3によって開始させ、瞬時t2〜t3間におけるエンジン回転数Neから明らかなようにエンジン1をクランキングし、併せて、電動モータ2をそのモータトルクTmが運転状態に応じた目標駆動力対応値になるよう制御する。【００６２】
次のステップＳ13においては、電動ポンプE/Pを作動させてこれから作動油が吐出されるようになす。
次いでステップＳ14において、当該電動ポンプE/Pからの作動油を媒体として変速機クラッチCLを締結すべく、その締結圧Pcを図4の瞬時t2以降におけるごとくに発生させ、EV→HEVモード切り替えに際して必要な変速機クラッチCLの締結を行う。【００６３】
ステップＳ15においては、ステップＳ12で開始させたエンジン始動が完了したか否かを、つまりエンジン1が完爆して自立運転を開始する図4の瞬時t3に至ったか否かをチェックし、エンジン始動が完了するまでは制御を直前に戻して、エンジン1が自立運転を開始するようになる（図4の瞬時t3に至る）まで待機する。
ステップＳ15でエンジン始動が完了したと判定するとき（図4の瞬時t3）、オイルポンプO/Pが作動油を吐出するようになって、電動ポンプE/Pからの作動油が不要であることから、ステップＳ16において電動ポンプE/Pを停止させる。【００６４】
図4の瞬時t1〜t3間は前記した理由によって、無段変速機4（無段変速機構CVT）の実変速比（プーリ比）Ipを求めることができないため不明であるが、瞬時t3以降はエンジン回転数Neの立ち上がりにより無段変速機4（無段変速機構CVT）がエンジン回転を入力されるようになることで、無段変速機4（無段変速機構CVT）の実変速比Ipを求めることができる。
そこで瞬時t3以降ステップＳ17において、無段変速機4（無段変速機構CVT）の実変速比Ipを、Ip＝Npri/Nsecの演算により求める。【００６５】
ステップＳ18においては、瞬時t3以降における時々刻々の目標変速比tIpを、瞬時ごとの運転状態（アクセル開度APOおよび車速VSP）から求める。
ステップＳ19においては、実変速比Ipに対する目標変速比tIpの比である変速比偏差度ΔIp（＝tIp/Ip）を演算する。
ステップＳ21においては、変速比偏差度ΔIpが1以上か否かにより、Ip≦tIp（実変速比Ipが目標変速比tIpよりハイ側）か、Ip>tIp（実変速比Ipが目標変速比tIpよりロー側）かをチェックする。【００６６】
ステップＳ21で変速比偏差度ΔIpが1以上であると判定する場合、つまり図4に示すごとくIp≦tIp（実変速比Ipが目標変速比tIpよりハイ側）であって、車輪駆動力が要求駆動力に対し、実変速比Ipおよび目標変速比tIp間の変速比偏差分だけ不足する場合、ステップＳ22において、この駆動力不足を解消するのに必要なモータトルク増大補正量ΔTmを変速比偏差度ΔIpと定数αとの乗算により求め、このモータトルク増大補正量ΔTmを、図4に一点鎖線で示す補正前のモータトルクTmに加算して、図4に実線で示すようなモータトルク増大補正値（Tm＋ΔTm）を得る。【００６７】
ステップＳ23においては、電動モータ2側にモータトルク増大補正量ΔTmを上乗せするだけの余裕があるか否かをチェックする。
余裕があればステップＳ24において、電動モータ2を、出力トルクがモータトルク増大補正値（Tm＋ΔTm）となるよう出力制御して、実変速比Ipおよび目標変速比tIp間の変速比偏差に起因した駆動力不足を解消する。【００６８】
ステップＳ23で電動モータ2側にモータトルク増大補正量ΔTmを上乗せするだけの余裕がないと判定する場合、ステップＳ25において、実変速比Ipおよび目標変速比tIp間の変速比偏差に起因した駆動力不足を解消するのに必要なエンジントルク増大補正量ΔTeを変速比偏差度ΔIpと定数βとの乗算により求め、このエンジントルク増大補正量ΔTeを、図4に一点鎖線で示す補正前のエンジントルクTeに加算して、図4に実線で示すようなエンジントルク増大補正値（Te＋ΔTe）を得る。【００６９】
ステップＳ26においては、エンジン1側にエンジントルク増大補正量ΔTeを上乗せするだけの余裕があるか否かをチェックする。
余裕があればステップＳ27において、エンジン1を、出力トルクがエンジントルク増大補正値（Te＋ΔTe）となるよう出力制御して、実変速比Ipおよび目標変速比tIp間の変速比偏差に起因した駆動力不足を解消する。【００７０】
ステップＳ26でエンジン1側にエンジントルク増大補正量ΔTeを上乗せするだけの余裕がないと判定する場合、ステップＳ28において、ステップＳ22およびステップＳ24によると同様なモータトルク増大補正と、これのみでは不足する分を補うエンジントルク増大補正との共働により、実変速比Ipおよび目標変速比tIp間の変速比偏差に起因した駆動力不足を解消する。【００７１】
ステップＳ21で変速比偏差度ΔIpが1未満であると判定する場合、つまり図4に示すとは逆にIp>tIp（実変速比Ipが目標変速比tIpよりロー側）であって、車輪駆動力が要求駆動力に対し、実変速比Ipおよび目標変速比tIp間の変速比偏差分だけ過大である場合、ステップＳ32において、この駆動力過大を解消するのに必要なモータトルク低下補正量ΔTeを変速比偏差度ΔIpと定数αとの乗算により求め、このモータトルク低下補正量ΔTmだけ、図4に一点鎖線で示す補正前のモータトルクTmを低下させて、モータトルク低下補正値（Tm−ΔTm）を得る。【００７２】
ステップＳ33においては、電動モータ2側にモータトルク低下補正量ΔTmだけトルクを低下するだけの余裕があるか否かをチェックする。
余裕があればステップＳ24において、電動モータ2を、出力トルクがモータトルク低下補正値（Tm−ΔTm）となるよう出力制御して、実変速比Ipおよび目標変速比tIp間の変速比偏差に起因した駆動力過大を解消する。【００７３】
ステップＳ33で電動モータ2側にモータトルク低下補正量ΔTmだけトルクを低下させるだけの余裕がないと判定する場合、ステップＳ35において、実変速比Ipおよび目標変速比tIp間の変速比偏差に起因した駆動力過大を解消するのに必要なエンジントルク低下補正量ΔTeを変速比偏差度ΔIpと定数βとの乗算により求め、このエンジントルク低下補正量ΔTeだけ、図4に一点鎖線で示す補正前のエンジントルクTeを低下させて、エンジントルク低下補正値（Te−ΔTe）を得る。【００７４】
ステップＳ36においては、エンジン1側にエンジントルク低下補正量ΔTeだけトルクを低下させるだけの余裕があるか否かをチェックする。
余裕があればステップＳ37において、エンジン1を、出力トルクがエンジントルク低下補正値（Te−ΔTe）となるよう出力制御して、実変速比Ipおよび目標変速比tIp間の変速比偏差に起因した駆動力過大を解消する。【００７５】
ステップＳ36でエンジン1側にエンジントルク低下補正量ΔTeだけトルクを低下させるだけの余裕がないと判定する場合、ステップＳ38において、ステップＳ32およびステップＳ24によると同様なモータトルク低下補正と、これのみでは不足する分を補うエンジントルク低下補正との共働により、実変速比Ipおよび目標変速比tIp間の変速比偏差に起因した駆動力不足を解消する。【００７６】
＜効果＞
上記した本実施例のEV→HEVモード切り替え制御によれば、図4に基づき以下に説明するような効果を奏することができる。
制動操作解除（ブレーキスイッチOFF）およびアクセルペダルの踏み込み（アクセル開度APO>0）によりEV→HEVモード切り替え要求が発生した瞬時t2に開始されたエンジン始動が完了する瞬時t3から演算可能となる無段変速機4（無段変速機構CVT）の実変速比Ipが目標変速比tIpと異なる場合、これら両者間の変速比偏差に起因した駆動力の過不足で、運転操作通りの駆動力が得られないという違和感を運転者に与える。【００７７】
しかして本実施例では、変速比偏差による駆動力の過不足を解消するよう電動モータ2および／またはエンジン1の出力を補正するため、EV→HEVモード切り替え時の変速比偏差に起因した駆動力の過不足が解消されて、運転操作通りの駆動力変化を生起させることができ、運転操作と異なる駆動力が発生する違和感をなくすことができる。【００７８】
しかも本実施例においては、上記駆動力の過不足を解消するに際し、エンジン1よりも高応答で高精度な出力制御が可能な電動モータ2の出力補正ΔTmを優先的に活用するため（ステップＳ22、ステップＳ24およびステップＳ32）、上記違和感を無くすという効果を一層顕著に奏することができる。【００７９】
そして、電動モータ2側に出力補正ΔTmを実現する余裕がない場合（ステップＳ23およびステップＳ33）、エンジン1の出力補正ΔTe（ステップＳ25、ステップＳ27、ステップＳ35およびステップＳ37）によって、変速比偏差に起因した駆動力の過不足を解消することとしたため、応答性や精度が異なる電動モータ2の出力補正ΔTmとエンジン1の出力補正ΔTeとを併用することがなく、制御が困難になるのを回避しつつ、上記違和感を無くすという効果を奏することができる。【００８０】
なお、電動モータ2の出力補正ΔTmおよびエンジン1の出力補正ΔTeがそれぞれ、単独で、変速比偏差に起因した駆動力の過不足を解消することができない場合、高応答で高精度な出力制御が可能な電動モータ2の出力補正ΔTmを優先的に活用し、不足分をエンジン1の出力補正ΔTeで行うこととしたため（ステップＳ28およびステップＳ38）、精度上の不利は避けられないものの、変速比偏差に起因した駆動力の過不足を解消し得ないという問題を生ずることがなくて、前記違和感を無くすという効果を確実に奏することができる。
【その他の実施例】
【００８１】
なお上記実施例においては、エンジン始動に際しエンジン1をスタータモータ3によりクランキングさせる場合につき説明したが、これに代えて以下のようにエンジン1をクランキングさせるようにした場合も、本発明の前記着想を適用して同様な作用、効果を得ることができる。
【００８２】
つまり、昨今のハイブリッド車両やアイドルストップ車両にあっては、エンジンクランクシャフトに駆動結合して実装される通常のオルタネータ（発電機）を、力行も可能となるようモータ/ジェネレータに置き換え、アイドルストップ後にエンジンを再始動するときや、エンジン運転中に必要に応じて該エンジンをトルクアシストするとき、モータ/ジェネレータを力行させて目的を達するよう構成することがある。
【００８３】
このようなハイブリッド車両の場合、エンジン始動に際しエンジン1をスタータモータ3による代わりに、上記モータ/ジェネレータの力行によりクランキングさせるようにしてもよい。
本発明の前記着想は、このような車両にも適用可能であり、この場合も前記したと同様な作用、効果が奏し得られる。
【００８４】
また制動中の判定に際し、ブレーキスイッチ26のONをもって当該判定を行うこととしたが、制動中の判定はこれに限られるものではなく、ブレーキ操作に応じて変化する物理量である例えばブレーキペダルストローク量や、ブレーキ液圧のセンサ検出値が制動判定値に達した時をもって制動中と判定してもよい。
【図１】
2014069528.tif 000003
【図２】
2014069528.tif 000004
【図３】
2014069528.tif 000005
【図４】
2014069528.tif 000006
【手続補正書】
【提出日】平成27年12月24日(2015.12.24)
【手続補正１】
【補正対象書類名】特許請求の範囲
【補正対象項目名】全文
【補正方法】変更
【補正の内容】
【特許請求の範囲】
【請求項１】
動力源としてエンジンのほかに電動モータを具え、前記エンジンが無段変速機を介して車輪に駆動結合され、これら無段変速機および車輪間がクラッチにより切り離し可能であって、該クラッチを解放すると共に前記エンジンを停止させることにより前記電動モータのみにより走行される電気走行モードを選択可能であるほか、前記エンジンを始動させると共に前記クラッチを締結することにより前記電動モータおよびエンジンにより走行されるハイブリッド走行モードを選択可能なハイブリッド車両のモード切り替え制御装置において、
前記電気走行モードからハイブリッド走行モードへのモード切り替え時に、前記電動モータおよび／またはエンジンの出力を車両運転状態に応じた値に制御するが、前記無段変速機の実変速比が車両運転状態に応じた目標変速比と異なる場合、これら実変速比および目標変速比間の変速比偏差による駆動力の過不足を減ずるべく前記電動モータおよび／またはエンジンの出力を補正するよう構成したことを特徴とするハイブリッド車両のモード切り替え制御装置。
【請求項２】
請求項1に記載された、ハイブリッド車両のモード切り替え制御装置において、
前記モード切り替え時に、前記エンジンの始動が完了するまで間は前記電動モータの出力を車両運転状態に応じた要求駆動力が得られるよう制御し、前記エンジンの始動が完了した後に前記変速比偏差による駆動力の過不足を減ずるべく前記電動モータおよび／またはエンジンの出力を補正するよう構成したことを特徴とするハイブリッド車両のモード切り替え制御装置。
【請求項３】
請求項1または2に記載された、ハイブリッド車両のモード切り替え制御装置において、
前記電動モータの出力補正のみにより前記変速比偏差による駆動力の過不足を狙い通りに減ずることができる場合、該電動モータに対してのみ前記出力補正を行うよう構成したことを特徴とするハイブリッド車両のモード切り替え制御装置。
【請求項４】
請求項1〜3のいずれか1項に記載された、ハイブリッド車両のモード切り替え制御装置において、
前記電動モータの出力補正のみによっては前記変速比偏差による駆動力の過不足を狙い通りに減ずることができない場合、前記エンジンに対する前記出力補正によって前記変速比偏差による駆動力の過不足を狙い通りに減ずるよう構成したことを特徴とするハイブリッド車両のモード切り替え制御装置。
【請求項５】
請求項4に記載された、ハイブリッド車両のモード切り替え制御装置において、
前記エンジンの出力補正によって前記変速比偏差による駆動力の過不足を狙い通りに減ずることができない場合、前記電動モータの出力補正とエンジンの出力補正との共働によって、前記変速比偏差による駆動力の過不足を狙い通りに減ずるよう構成したことを特徴とするハイブリッド車両のモード切り替え制御装置。
【手続補正２】
【補正対象書類名】明細書
【補正対象項目名】００１４
【補正方法】変更
【補正の内容】
【００１４】
先ず本発明の前提となるハイブリッド車両を説明するに、これは、
動力源としてエンジンのほかに電動モータを具え、前記エンジンが無段変速機を介して車輪に駆動結合され、これら無段変速機および車輪間がクラッチにより切り離し可能であって、該クラッチを解放すると共に前記エンジンを停止させることにより前記電動モータのみにより走行される電気走行モードを選択可能であるほか、前記エンジンを始動させると共に前記クラッチを締結することにより前記電動モータおよびエンジンにより走行されるハイブリッド走行モードを選択可能な車両である。
【手続補正３】
【補正対象書類名】明細書
【補正対象項目名】００１５
【補正方法】変更
【補正の内容】
【００１５】
本発明のモード切り替え制御装置は、かかるハイブリッド車両の前記電気走行モードからハイブリッド走行モードへのモード切り替え時に、前記電動モータおよび／またはエンジンの出力を車両運転状態に応じた値に制御するが、前記無段変速機の実変速比が車両運転状態に応じた目標変速比と異なる場合、これら実変速比および目標変速比間の変速比偏差による駆動力の過不足を減ずるべく前記電動モータおよび／またはエンジンの出力を補正するよう構成した点に特徴づけられる。
【手続補正４】
【補正対象書類名】明細書
【補正対象項目名】００１６
【補正方法】変更
【補正の内容】
【００１６】
本発明によるハイブリッド車両のモード切り替え制御装置にあっては、
電気走行モードからハイブリッド走行モードへのモード切り替え時に電動モータおよび／またはエンジンの出力を車両運転状態に応じた値に制御するも、無段変速機の実変速比が車両運転状態に応じた目標変速比と異なる場合は、これら両者間の変速比偏差による駆動力の過不足を減ずるよう電動モータおよび／またはエンジンの出力を補正するため、
上記モード切り替え時の変速比偏差に起因した駆動力の過不足が解消されて、運転操作通りの駆動力変化を生起させることができ、運転操作と異なる駆動力が発生する違和感をなくすことができる。
【国際調査報告】
2014069528.tif 000007
2014069528.tif 000008
2014069528.tif 000009
2014069528.tif 000010
2014069528.tif 000011